(57)【要約】【課題】  網戸の枠体に取付けるメッシュであって、周辺縁が解け難くて、汚れが付着せず、しかもインテリアとしての効果を備えた網戸用メッシュの提供。【解決手段】  縦線８ａ，８ｂ・・と横線７ａ，７ｂ・・が変則的に絡み合う変則織組織とすることで縁６を解け難くし、そして図形や模様を表面に形成すると同時に汚れ防止処理を施し、加熱して幅寸法と長さ寸法を一定かしている。【選択図】    図３
2005256458.tif 000002
【特許請求の範囲】
【請求項１】
網戸の枠体に取付けるメッシュにおいて、縦線と横線が変則的に絡み合う変則織組織とすることで縁を解け難くし、そして図形や模様を表面に形成すると同時に汚れ防止処理を施し、加熱して幅寸法と長さ寸法を定める仕上げ処理をしたことを特徴と網戸用メッシュ。
【請求項２】
上記織製した後に固仕上げ加工した請求項１記載の網戸用メッシュ。
【発明の詳細な説明】
【技術分野】
【０００１】
本発明は網戸の枠体の取付けられるメッシュに関するものである。
【背景技術】
【０００２】
窓を構成する為にガラスを嵌めた引戸はアルミ製の枠体に設けているレールに装着され開閉することが出来るが、夏季では窓を開けた際に外から虫などが部屋の明かりに誘われて侵入する為に、これを防止する網戸が装着されている。該網戸は引戸と対を成していて、網戸を閉じた状態で引戸を開けることが出来、その為に、虫の侵入を防止すると共に外気を入れることが出来る。
【０００３】
図４は従来の一般的な網戸であるが、両縦桟(イ)、(イ)と上桟(ロ)及び下桟(ハ)とで枠組みされた長方形の枠体にメッシュ(ニ)が取付けられている。メッシュ(ニ)は枠体に嵌る大きさの長方形を成し、周囲に形成した凹溝に周辺部を嵌めてゴム製リングにて外れないように押えられている。
【０００４】
メッシュ(ニ)は枠体の凹溝に周辺部が嵌るように所定の縦横寸法に裁断されるが、複数本の細い縦線と複数本の細い横線が所定の間隔をおいて織製された従来のメッシュ(ニ)は縁が解け易い。従って、裁断される縦横寸法はある程度大きめに設定され、その結果、枠体に取付けられるならば、メッシュ(ニ)の縁が外に露出してしまい、網戸の外観が損なわれる。又、はみ出したメッシュ(ニ)の縁は刃物の刃先のように鋭くて手が触れるならば、ケガをすることもある。
【０００５】
そして、従来の網戸用メッシュ(ニ)はその網目が大きくて、小さな虫は該網目空間から部屋へ侵入することが出来る。又、従来のメッシュ(ニ)は無地であって、装着するならば部屋のイメージは暗く成り、しかも汚れが付着し易く、時々付着した汚れを洗い落とすことが必要となる。
【発明の開示】
【発明が解決しようとする課題】
【０００６】
このように、従来の網戸用メッシュには上記のごとき問題がある。本発明が解決しようとする課題はこれら問題点であり、周辺縁が解け難く、網目の大きさが小さくて小さな虫の侵入を防止でき、又汚れが付着し難い網戸用メッシュを提供する。
【課題を解決するための手段】
【０００７】
本発明に係る網戸用のメッシュは縁が解けないように折ると共にカラフルに染色したものである。そこで、織組織は変則織として、横線に対して垂直方向に配列される縦線は上下交互に位置せず、不規則な配列形態を成している。そして、本発明のメッシュは網目が小さく、すなわち横線間のピッチ及び縦線間のピッチは小さくて、小さな虫であっても侵入しない大きさとしている。
【０００８】
このように織製されたメッシュは固仕上げ加工され、そして汚れが付着し難いように染色される。さらに熱を加えてプレスされて縦横寸法が定まり、形成される目は形崩れすることなく正方形となる。さらに、本発明に係るメッシュは目が細かい為にメッシュであるにも関わらず図形や模様が形成されてカラフルなデザインを構成している。
【発明の効果】
【０００９】
本発明のメッシュは変則織組織を構成すると共に、加熱仕上げ処理が行われる為に縁が解けることはなく、従って枠体に取付けられる必要最小限の縦横寸法に裁断することが出来る。すなわち、メッシュを大きめに裁断する必要がない為に無駄は発生せず、又、従来のように大きく裁断されることで、はみ出した縁に接してケガすることもない。
【００１０】
そして、本発明のメッシュは網目の大きさが小さくなっている為に、該網目を通過して虫が侵入することはなく、又メッシュであるにも関わらず、網目が小さい為に表面に図形や模様などが形成されることでカラフルな網戸を構成することが出来る。すなわち、網戸を装着しても暗いイメージとはならず、部屋のインテリアとして利用できる。一方、汚れ防止処理がされている為に、該汚れが付着し難く、形成される図形や模様は何時までも鮮やかさが保たれる。
【実施例】
【００１１】
図１は本発明に係る網戸用メッシュ１を示す実施例であり、同図に示すように無地ではなくて図形が形成さている。勿論、同図に示す図形形態に限定するものではないが、該メッシュ１に図形を形成することで、網戸を入れた部屋のイメージが異なり、１つのインテリアとしての効果を発揮することが出来る。
【００１２】
該メッシュ１は前記図４に示すような網戸の枠体に取付けられるが、この取付け構造は従来通り枠体に沿って設けられている凹溝３にメッシュ周辺側部が嵌ってゴム製リングで押えられる。本発明のメッシュ１は変則織された後に形崩れしないように熱処理される為に、その長さ寸法及び幅寸法は一定に定まり、周辺部の縁は凹溝３からはみ出さないように所定の寸法に裁断される。
【００１３】
図２は枠体の一部断面を示しているが、桟２には凹溝３が形成され、該凹溝３にはメッシュ１の周辺部４が嵌り、ゴム製リング５にて押えられている。該ゴム製リング５は圧縮変形して凹溝３に嵌ることでメッシュ周辺部４を桟２の凹溝３から外れないように固定することが出来る。ここで、メッシュ１の縁６は凹溝６からはみ出すことなく該ゴム製リング５にて押えられる。
【００１４】
図３は本発明のメッシュ１の織組織を示す拡大図であるが、横線７ａ，７ｂ，７ｃ・・と縦線８ａ，８ｂ，８ｃ・・が互いに絡み合って該織組織を構成している。従来の網戸メッシュは横線と縦線は規則正しく互いに絡み合った織組織と成っているが、本発明の織組織は同図に示すごとく変則織と成っている。そして、変則織されたメッシュ１は固仕上げ加工され、染色され、そして約１８０℃に加熱した状態で幅寸法と長さ寸法を定める仕上げ加工が施される。従って、メッシュ１の網目は正方形と成って、形崩れすることはない。
【００１５】
図３に示す変則織組織は１具体例であって、この織組織に限定するものではない。横線７ａ，７ｂ，７ｃ・・及び縦線８ａ，８ｂ，８ｃ・・は細いワイヤーから成る。しかし材質は金属製に限るものではない。一定間隔をもつて並行な横線７ａ，７ｂ，７ｃ・・に対して、縦線８ａは３本おきに上側及び下側に配置され、同図では横線７ａ，７ｂに対しては上側に、横線７ｃ，７ｄ，７ｅに対しては下側に、そして横線７ｆ・・に対しては上側に配置されて絡み合う。
【００１６】
縦線８ｂは各横線７ａ，７ｂ・・に対して上側と下側に交互に配置される。すなわち、横線７ａ，７ｃ，７ｅに対しては上側に位置し、横線７ｂ，７ｄ，７ｆに対しては下側に位置して絡み合うことが出来る。又、縦線８ｃは上記縦線８ａの場合と同じく、３本おきに上側と下側に位置して絡み合う構造と成っている。
すなわち、横線７ａ，７ｂに対しては上側に、横線７ｃ，７ｄ，７ｅに対しては下側に、そして横線７ｆ・・に対しては上側に位置している。
【００１７】
このように織製されたメッシュ１は、染色すると共に汚れが付着しないように処理される。そこで、染色液に関東ローム，フラッシュアイ、カーボンブラックを混合するが、その比率はメッシュ幅１１２ｃｍで長さ１ｍに対して、関東ローム２０ｇ，フラッシュアイ８０ｇ、カーボンブラック０．２ｇとしている。従って、本発明のメッシュは汚れに強く、ホコリやゴミが付着し難く、雨が当るならば簡単に流れ落ちる。
【図面の簡単な説明】
【００１８】
【図１】本発明に係る図形を形成した網戸用メッシュ。
【図２】枠体の一部断面。
【図３】メッシュも変則織組織を示す具体例。
【図４】網戸の外観。
【符号の説明】
【００１９】
１  メッシュ
２  桟
３  凹溝
４  外側部
５  ゴム製リング
６  縁
７  横線
８  縦線
【図１】
2005256458.tif 000003
【図２】
2005256458.tif 000004
【図３】
2005256458.tif 000005
【図４】
2005256458.tif 000006